(57)【要約】【課題】少量の界面活性剤量（低濃度）でも高い洗浄力を有する洗浄剤組成物を提供する。【解決手段】本発明は、下記一般式（Ｉ）で表されるポリオキシアルキレンアミンオキシドを含有することを特徴とする洗浄剤組成物である。［化１］2007291270.tif 000006［式中、Ｒ１は炭素数８〜２２の直鎖もしくは分岐鎖状のアルキル基またはアルケニル基、長鎖ヒドロキシアルキル基、トリル基、フェニル基、ベンジル基のいずれかであり；Ａは炭素数２〜３のアルキレン基を示し；ｐ、ｑはそれぞれアルキレンオキサイドの平均付加モル数を示す０以上の数であり、ｐ＋ｑは５以上７０未満である。］【選択図】なし【特許請求の範囲】
【請求項１】
下記一般式（Ｉ）で表されるポリオキシアルキレンアミンオキシドを含有することを特徴とする洗浄剤組成物。
【化１】
2007291270.tif 000005
［式中、Ｒ１は炭素数８〜２２の直鎖もしくは分岐鎖状のアルキル基またはアルケニル基、長鎖ヒドロキシアルキル基、トリル基、フェニル基、ベンジル基のいずれかであり；Ａは炭素数２〜３のアルキレン基を示し；ｐ、ｑはそれぞれアルキレンオキサイドの平均付加モル数を示す０以上の数であり、ｐ＋ｑは５以上７０未満である。］
【発明の詳細な説明】
【技術分野】
【０００１】
本発明は、洗浄剤組成物に関する。
【背景技術】
【０００２】
近年では、環境汚染などの環境問題に対する意識が高まってきている。
洗浄剤分野においても、被洗物の汚れなどの実態をふまえて、これまで以上に環境への配慮が必要であり、環境への負荷が低い洗浄剤組成物の設計が求められている。
【０００３】
このような環境への負荷が低い洗浄剤組成物としては、例えば、９質量％以下の界面活性剤と、炭酸塩とを含有させることにより、組成物中の界面活性剤含有量の低減を図った環境低負荷型の洗浄剤組成物、及び洗浄方法等が提案されている（特許文献１参照）。
また、少量の界面活性剤により高い洗浄力を発揮する洗浄剤組成物としては、非イオン界面活性剤とアルカリ剤とを含有させた液体洗浄剤組成物（特許文献２参照）や、アニオン界面活性剤とアルキルアミンオキシドとポリオキシアルキレンアルキル（又はアルケニル）エーテルと水とを特定の割合で含有させた液体洗浄剤組成物（特許文献３参照）等が提案されている。  
【特許文献１】特開２００１−１５８８９９号公報
【特許文献２】特開平８−２３１９９６号公報
【特許文献３】特開平７−５３９９１号公報
【発明の開示】
【発明が解決しようとする課題】
【０００４】
しかしながら、特許文献１に記載の技術では、特に液体洗浄剤組成物の場合においては、炭酸塩を多量に配合することが困難であり、組成物中に含有される９質量％以下の界面活性剤量では、充分な洗浄力を発揮することができないという問題がある。  
また、特許文献２〜３に記載の技術では、良好な洗浄力を得るために、ある程度の界面活性剤量が必要であり、界面活性剤濃度を充分に低減することができない。
【０００５】
本発明は、上記事情に鑑みてなされたものであり、少量の界面活性剤量（低濃度）でも高い洗浄力を有する洗浄剤組成物を提供することを課題とする。
【課題を解決するための手段】
【０００６】
前記課題を解決するために、本発明においては、下記一般式（Ｉ）で表されるポリオキシアルキレンアミンオキシドを含有することを特徴とする洗浄剤組成物を提案する。
【０００７】
【化１】
2007291270.tif 000002
［式中、Ｒ１は炭素数８〜２２の直鎖もしくは分岐鎖状のアルキル基またはアルケニル基、長鎖ヒドロキシアルキル基、トリル基、フェニル基、ベンジル基のいずれかであり；Ａは炭素数２〜３のアルキレン基を示し；ｐ、ｑはそれぞれアルキレンオキサイドの平均付加モル数を示す０以上の数であり、ｐ＋ｑは５以上７０未満である。］
【発明の効果】
【０００８】
本発明によれば、少量の界面活性剤量（低濃度）でも高い洗浄力を有する洗浄剤組成物を提供することができる。
【発明を実施するための最良の形態】
【０００９】
本発明の洗浄剤組成物は、前記一般式（Ｉ）で表されるポリオキシアルキレンアミンオキシドを含有するものである。
【００１０】
ポリオキシアルキレンアミンオキシド
前記一般式（Ｉ）で表されるポリオキシアルキレンアミンオキシドにおいて、一般式（Ｉ）中、Ｒ１は、炭素数８〜２２の直鎖もしくは分岐鎖状のアルキル基またはアルケニル基、長鎖ヒドロキシアルキル基、トリル基、フェニル基、ベンジル基のうちいずれかである。
炭素数８〜２２の直鎖もしくは分岐鎖状のアルキル基またはアルケニル基において、アルキル基の炭素数は８〜２２であり、１４〜２０であるものが好ましく、１６〜１８であるものがより好ましい。アルケニル基の炭素数については、前記アルキル基の炭素数と同様である。
炭素数が８以上であることにより洗浄力が良好となり、一方、炭素数が２２以下であることにより溶解性が向上する。
長鎖ヒドロキシアルキル基において、アルキル基の炭素数は、好ましくは８〜２０であり、特に好ましくは１０〜１８である。ヒドロキシ基の数は、好ましくは１〜３であり、より好ましくは１である。
【００１１】
Ｒ１の中でも、特に好ましくは、炭素数８〜２２の直鎖もしくは分岐鎖状のアルキル基またはアルケニル基である。具体的には、牛脂由来（炭素数１４〜１８の混合物）のアルキル基またはアルケニル基、硬化牛脂由来（炭素数１４〜１８の混合物）のアルキル基またはアルケニル基、オレイル基、セチル基、ステアリル基であり、最も好ましくは牛脂由来（炭素数１４〜１８の混合物）のアルキル基またはアルケニル基、セチル基、ステアリル基である。
【００１２】
前記一般式（Ｉ）中、Ａは、炭素数２〜３のアルキレン基を示す。
ＡＯは、アルキレンオキサイドを示す。ＡＯは、エチレンオキサイド（ＥＯ）またはプロピレンオキサイド（ＰＯ）であり、それぞれ単独であってもよく、混合して付加されていてもよい。ＥＯ基とＰＯ基が混合して付加されている場合、ＥＯ基とＰＯ基とがランダムに結合していてもよく、たとえば特表２００３−５０５４４６号公報に示されているように、ＥＯ基とＰＯ基がそれぞれ２つ以上結合したブロックどうしが連結していてもよい。これらの中でも、好ましくはＥＯ基単独からなるものである。
なお、ＥＯ基とＰＯ基が混合して付加されている場合には、ＥＯ基の総量が、全アルキレンオキサイド基中、６０質量％以上であることが溶解性の点で好ましい。
【００１３】
ｐ、ｑは、それぞれアルキレンオキサイド基の平均付加モル数を表し、各々独立に０以上の数を示す。なお、ｐ、ｑのうち、一方が０であってもよい。
また、アルキレンオキサイド基の平均付加モル数の和を示す「ｐ＋ｑ」は５以上７０未満であり、好ましくは７以上５０以下であり、より好ましくは９以上３０以下である。該範囲であることにより、高い洗浄力が得られる。特に、該範囲の下限値以上であることにより、例えば衣料用の洗浄剤組成物として用いた場合、洗浄力が向上する。一方、上限値以下であることにより、洗浄剤組成物中に存在するポリオキシアルキレンアミンオキシドのモル数が充分となって洗浄力が向上する。
【００１４】
前記一般式（Ｉ）で表されるポリオキシアルキレンアミンオキシドの好適な具体例としては、ポリオキシエチレン（２０）ヘキサデシルアミンオキシド（前記括弧内の数値はＥＯの平均付加モル数を示し、この場合、平均付加モル数２０モルである。）、ポリオキシエチレン（１５）ヘキサデシルアミンオキシド（ＥＯの平均付加モル数１５モル）、ポリオキシエチレン（１０）ヘキサデシルアミンオキシド（ＥＯの平均付加モル数１０モル）、ポリオキシエチレン（２０）牛脂アルキルアミンオキシド（ＥＯの平均付加モル数２０モル）、ポリオキシエチレン（５０）オクタデシルアミンオキシド（ＥＯの平均付加モル数５０モル）、ポリオキシエチレン（３０）オクタデシルアミンオキシド（ＥＯの平均付加モル数３０モル）等が挙げられる。なかでも、ポリオキシエチレン（２０）ヘキサデシルアミンオキシド（ＥＯの平均付加モル数２０モル）、ポリオキシエチレン（１０）ヘキサデシルアミンオキシド（ＥＯの平均付加モル数１０モル）、ポリオキシエチレン（２０）牛脂アルキルアミンオキシド（ＥＯの平均付加モル数２０モル）、ポリオキシエチレン（５０）オクタデシルアミンオキシド（ＥＯの平均付加モル数５０モル）がより好ましい。
本発明において、係るポリオキシアルキレンアミンオキシドは、１種または２種以上混合して用いることができる。
係るポリオキシアルキレンアミンオキシドの含有量は、洗浄剤組成物中、好ましくは２〜９０質量％であり、より好ましくは５〜６０質量％であり、さらに好ましくは８〜４０質量％である。２質量％以上であることにより、当該洗浄剤組成物を通常の使用量で用いても洗浄力が向上し、一方、９０質量％以下であることにより製剤化が容易となる。
【００１５】
その他の任意成分
本発明の洗浄剤組成物には、上記ポリオキシアルキレンアミンオキシド以外に、必要に応じて、その他の任意成分を配合することができる。
このような任意成分としては、たとえば、以下の（１）〜（１０）が挙げられる。
【００１６】
（１）非イオン界面活性剤、例えば炭素数８〜１３の１級または２級アルコールにエチレンオキサイド（ＥＯ）及び／又はプロピレンオキサイド（ＰＯ）を平均６〜１８モル付加したポリオキシアルキレンアルキルまたはアルケニルエーテル；炭素数８〜１３の脂肪酸にエチレンオキサイド（ＥＯ）及び／又はプロピレンオキサイド（ＰＯ）を平均６〜１８モル付加した脂肪酸のポリオキシアルキレン付加物またはその低級アルコールエーテル；プロピレンオキサイドとプロピレングリコールとの縮合物にエチレンオキサイドを付加したもの（プルロニック型界面活性剤）；炭素数１０〜２０の脂肪酸と蔗糖とのエステル；炭素数１０〜２０の脂肪酸グリセリンモノエステル、炭素数８〜２０のアルキルポリグルコシド等。
（２）前記一般式（Ｉ）以外の含窒素界面活性剤、例えば、特開２００５−１７１１９５号公報に示されているような炭素数８〜２２のアルキル基またはアルケニル基を有し、エチレンオキサイドが付加したポリオキシアルキレンアミン［商品名：エソミンＴ／２５（アルキル基：牛脂由来（Ｃ１４〜１８の混合物）、ＥＯの平均付加モル数：１５モル）、商品名：エソミンＳＡ２Ｙ−１０３（アルキル基：Ｃ１８、ＥＯの平均付加モル数：５０モル）；以上、ライオンアクゾ社製］や、炭素数１０〜２０のアルキル基もしくはアルケニル基を有するアルキルまたはアルケニルアミンオキシド、プロピレンオキサイドとエチレンジアミンとの縮合物にエチレンオキサイドを付加したもの（テトロニック型界面活性剤）、ポリオキシエチレン脂肪酸アミド、特開２０００−５３９９６号公報に示されているようなポリヒドロキシアミン等。
（３）第４級アミン型カチオン界面活性剤、例えば塩化ポリオキシエチレン（１５）硬化牛脂アルキルメチルアンモニウム（ライオンアクゾ社製、商品名：エソカードＨＴ／２５）などのエチレンオキサイド付加型４級アンモニウム塩等。
（４）アニオン界面活性剤、両性界面活性剤。
（５）金属キレート剤。
（６）ハイドロトロープ剤、例えば、エタノール、低級アルキルアリールスルホン酸、ポリエチレングリコール（ＰＥＧ）等の多価アルコール、ポリエチレン（プロピレン）グリコールアルキルエーテル、ポリエチレン（プロピレン）グリコールフェニルエーテル等。
（７）モノエタノールアミン、ジエタノールアミン、トリエタノールアミンなどのアルカリ剤。
（８）プロテアーゼ、リパーゼ、セルラーゼなどの酵素。
（９）ポリエーテル変性シリコーン、アミノポリエーテル変性シリコーンなどの風合い改良剤。
（１０）蛍光増白剤、防腐剤、乳濁剤、色素、香料、糊剤、ｐＨ調整剤等。
上記の任意成分は、１種を単独で、又は２種以上を混合して用いることができる。
【００１７】
上記の任意成分のなかでも、洗浄力の点から、ポリオキシアルキレンアミンを用いることが好ましい。
その際、前記一般式（Ｉ）で表されるポリオキシアルキレンアミンオキシドとポリオキシアルキレンアミンとの混合割合は、質量比で８０：２０〜１０：９０であることが好ましく、７０：３０〜１５：８５であることがより好ましい。
また、これらの併用により、前記ポリオキシアルキレンアミンオキシドとポリオキシアルキレンアミンとを高濃度（好ましくは５０質量％以上）で含有する水溶液を調製することもできる。
好適な組合せとしては、たとえばポリオキシエチレン（２０）ヘキサデシルアミンオキシドとポリオキシエチレン（２０）ヘキサデシルアミンとの併用などが挙げられる。
【００１８】
本発明の洗浄剤組成物の性状（外観）としては、特に制限はなく、固体状（例えば粉状、固形等）であってもよく、液体状であってもよく、ゲル状等であってもよい。中でも液体状であることが好ましい。
また、本発明の洗浄剤組成物は、その調製方法は特に制限されるものではなく、通常の洗浄剤組成物の常法に準じて調製することができる。例えば、液体洗浄剤組成物の場合、前記一般式（Ｉ）で表されるポリオキシアルキレンアミンオキシドと、必要に応じて上記任意成分と、さらに適宜水を配合し、混合することによって調製することができる。
また、本発明の洗浄剤組成物においては、洗浄力の点から、洗浄剤組成物の２５℃でのｐＨは４〜１１であることが好ましく、ｐＨ５〜１０であることがより好ましい。
なお、前記ｐＨは、洗浄剤組成物が固体状の場合は界面活性剤濃度が２０質量％の水溶液、液体状やゲル状の場合は洗浄剤組成物の原液を測定したときの値を示す。
また、ｐＨの調整は、ｐＨ調整剤（硫酸、水酸化ナトリウム、水酸化カリウム等の無機酸及び無機塩基など）を適宜用いることによって行うことができる。
【００１９】
本発明の洗浄剤組成物の使用方法は、通常の使用方法、すなわち本発明の洗浄剤組成物（本発明品）を、洗濯時に洗濯物と一緒に水に投入する方法、洗濯物の汚れ部位に本発明品を直接塗る方法、本発明品を予め水に溶かして衣類を浸漬する方法等が挙げられる。
また、本発明品を洗濯物に塗布後、適宜放置し、その後、本発明品以外の洗濯液を用いて通常の洗濯を行う方法も好ましい。
【００２０】
本発明の洗浄剤組成物は、少量の界面活性剤量（低濃度）でも高い洗浄力を有するものである。
ここで、本発明における「少量の界面活性剤量（低濃度）」とは、洗濯液中における界面活性剤濃度が、好ましくは５０〜１５０ｐｐｍであるものをいう。
従来の洗濯液中における界面活性剤濃度は、固体状の洗浄剤組成物の場合、１５０〜２００ｐｐｍであり、液体状やゲル状の洗浄剤組成物の場合、２００〜２８０ｐｐｍである。
よって、本発明の洗浄剤組成物は、洗浄剤組成物の使用量を従来と同量にした場合、洗浄剤組成物中の界面活性剤量を減少でき、また、洗浄剤組成物中の界面活性剤量を従来と同量にした場合、洗浄剤組成物の使用量を減らすことが可能である。
【００２１】
本発明の洗浄剤組成物は、少量の界面活性剤量（低濃度）でも高い洗浄力を有するという効果を発揮する。その理由は明らかではないが、次のように推測される。
本発明に用いられる前記ポリオキシアルキレンアミンオキシドは、皮脂汚れなどに含まれるオレイン酸やトリオレイン等の油性成分との界面張力が低く、また、中性ｐＨでの脂肪酸可溶化量が高い特性を有する。そのため、被洗物（衣料等）に付着した皮脂汚れなどへの吸着性が高いことが考えられる。
また、前記ポリオキシアルキレンアミンオキシドは、皮脂汚れなどと吸着した際、皮脂汚れに含まれる脂肪酸等と静電的に結合してイオンペアを形成すると推測される。そして、当該イオンペアが洗濯液中に溶解し、界面活性剤として効果を発揮することにより、洗浄力が向上すると考えられる。
以上により、本発明の洗浄剤組成物は、少量の界面活性剤量（低濃度）でも高い洗浄力を有すると推測される。
【００２２】
本発明によれば、少量の界面活性剤量（低濃度）でも高い洗浄力を有する洗浄剤組成物を提供することができる。
また、本発明の洗浄剤組成物は、洗濯液中の界面活性剤量が従来の半分以下でも、充分な洗浄力を発揮することが可能である。
本発明の洗浄剤組成物は、このように界面活性剤の使用量を低減することができ、低環境負荷などの効果が期待できる。
本発明の洗浄剤組成物の用途としては、特に制限はなく、例えば、工業用、衣料用、靴用、各種機器用等に広く用いることができる。なかでも、特に衣料用の洗浄剤組成物として好適に用いることができる。好ましくは、次亜塩素酸類を含まない洗浄剤組成物であり、色物の衣料にも通常に用いることができる。
さらに、本発明の洗浄剤組成物は、たとえば高濃縮タイプの液体洗浄剤や、コンパクトな液体洗浄剤などへの応用も可能である。
【実施例】
【００２３】
以下に実施例を用いて本発明をさらに詳しく説明するが、本発明はこれら実施例に限定されるものではない。なお、「％」は特に断りがない限り「質量％」を示す。
【００２４】
（実施例１〜１５、比較例１〜７）
表１は、実施例に用いた原料（化合物）の化合物名または構造式、メーカー名及び商品名を示す。表２は、液体洗浄剤組成物の配合組成および評価結果を示す。
液体洗浄剤組成物の調製は、表１に示す原料（化合物）を用いて、表２に示す配合組成に従って、常法に準じて液体洗浄剤組成物（残部は精製水）を調製した。
ｐＨの調整は、液体洗浄剤組成物の２５℃でのｐＨが７．０となるように、ｐＨ調整剤（水酸化ナトリウムまたは硫酸）を適宜添加することにより行った。
なお、表中の配合量は純分換算した値であり、その単位は質量％であり、総量が１００質量％となるように水量を調整した。
また、表１中で構造式に付された「：１」は、不飽和結合を１つ有することを示す。
【００２５】
≪表１中に示した成分の説明≫
※１：化合物Ａについて
原料の脂肪酸アミンは、東京化成工業（株）製のｎ−ヘキサデシルアミンを使用した。
合成反応は、耐圧硝子工業（株）製のオートクレーブを用い、二段階で合成した。
まず、上記の脂肪酸アミンをオートクレーブに仕込み、系内を窒素で置換後、１５０℃に加熱し、エチレンオキシド（ＥＯ）を所定量になるまで少量ずつ添加して、エチレンオキシド（ＥＯ）の平均付加モル数が２モルの３級アミンを合成した。
次に、上記合成で得られた３級アミンとアルカリ触媒（４０質量％ＮａＯＨ水溶液を用いて０．８質量％分）をオートクレーブに仕込み、系内を窒素で置換し、加温減圧による脱水後、１５０℃に加熱し、エチレンオキシドを所定量に達するまで少量ずつ添加してＥＯの平均付加モル数が１０モルのポリオキシエチレンヘキサデシルアミン（Ａ）を合成した。
【００２６】
※２：化合物Ｂについて
上記合成で得られた化合物Ａを原料として使用した。
化合物Ａの４０質量％水溶液を調製し、温度計、攪拌器、冷却管および滴下ロートを備えた反応槽に仕込み、攪拌しながら加熱し、７０〜８０℃に保ちながら、３当量の４５質量％過酸化水素水溶液を少しずつ滴下し、熟成を３時間以上行い、反応を終了した。
当該反応により得られた合成物を、ＮＭＲ測定により、未反応アミンの残存がないことを確認し、ＥＯの平均付加モル数が１０モルのポリオキシエチレンヘキサデシルアミンオキシド（Ｂ）を合成した。
合成反応後、合成物を加熱し、水分の蒸発による重量の変化率から水分量を測定し、濃度を算出した（純分：２８．２質量％）。
【００２７】
※３：化合物Ｃについて
前述の化合物Ａの合成方法と同様にして、ＥＯの添加量を調整することにより、ＥＯの平均付加モル数が２０モルのポリオキシエチレンヘキサデシルアミン（Ｃ）を合成した。
【００２８】
※４：化合物Ｄについて
上記合成で得られた化合物Ｃを原料として使用し、前述の化合物Ｂの合成方法と同様にして、４５質量％過酸化水素水溶液によるアミンオキシド化を行うことにより、ＥＯの平均付加モル数が２０モルのポリオキシエチレンヘキサデシルアミンオキシド（Ｄ）を合成した。
合成反応後、合成物を加熱し、水分の蒸発による重量の変化率から水分量を測定し、濃度を算出した（純分：３６．３質量％）。
【００２９】
※５：化合物Ｅについて
ライオンアクゾ社製のエソミンＴ/１２（アルキル基：牛脂、ＥＯの平均付加モル数：２モル）を原料として使用し、当該原料とアルカリ触媒（４０質量％ＮａＯＨ水溶液を用いて０．８質量％分）をオートクレーブに仕込み、系内を窒素で置換し、加温減圧による脱水後、１５０℃に加熱し、ＥＯを所定量に達するまで少量ずつ添加してＥＯの平均付加モル数が２０モルのポリオキシエチレン牛脂アルキルアミン（Ｅ）を合成した。
【００３０】
※６：化合物Ｆについて
上記合成で得られた化合物Ｅを原料として使用し、前述の化合物Ｂの合成方法と同様にして、４５質量％過酸化水素水溶液によるアミンオキシド化を行うことにより、ＥＯの平均付加モル数が２０モルのポリオキシエチレン牛脂アルキルアミンオキシド（Ｆ）を合成した。
合成反応後、合成物を加熱し、水分の蒸発による重量の変化率から水分量を測定し、濃度を算出した（純分：３２．１質量％）。
【００３１】
※７：化合物Ｇについて
ライオンアクゾ社製のエソミンＳＡ２Ｙ−１０３（アルキル基：Ｃ１８、ＥＯの平均付加モル数：５０モル）を原料として使用し、前述の化合物Ｂの合成方法と同様にして、４５質量％過酸化水素水溶液によるアミンオキシド化を行うことにより、ＥＯの平均付加モル数が５０モルのポリオキシエチレンオクタデシルアミンオキシド（Ｇ）を合成した。
合成反応後、合成物を加熱し、水分の蒸発による重量の変化率から水分量を測定し、濃度を算出した（純分：３４．０質量％）。
【００３２】
※８：化合物Ｈについて
ライオンアクゾ社製のエソミンＴ/１２（アルキル基：牛脂、ＥＯの平均付加モル数：２モル）を原料として使用し、前述の化合物Ｂの合成方法と同様にして、４５質量％過酸化水素水溶液によるアミンオキシド化を行うことにより、ＥＯの平均付加モル数が２モルのポリオキシエチレン牛脂アルキルアミンオキシド（Ｈ）を合成した。
合成反応後、合成物を加熱し、水分の蒸発による重量の変化率から水分量を測定し、濃度を算出した（純分：２９．９質量％）。
【００３３】
※９：化合物Ｉについて
特開平１−１６４４３７号公報、特開平１０−７６２０号公報、特開２０００−６１３０４号公報等に記載された方法により、特開２００１−１６４２９８号公報において定義されたナロー率が５５質量％以上のポリオキシエチレン（１５）セチルエーテルを合成した。
【００３４】
※１０：化合物Ｊについて
脂肪酸メチルエステルを原料として使用し、特開平９−１１８６４８号公報に記載された製造方法に準じて、脂肪酸メチルエトキシレート型非イオン界面活性剤を合成した。
【００３５】
【表１】
2007291270.tif 000003
【００３６】
≪洗浄力の評価≫
表２に示す各例の液体洗浄剤組成物について、以下に示す方法および評価基準によって評価を行い、その結果を表２に併記した。
【００３７】
（洗浄処理方法）
５ｃｍ角に裁断した湿式人工汚染布（平野油脂（株）製）（以下、「汚染布」ということがある。）１０枚を、市販のＴシャツ（綿１００％、Ｂ．Ｖ．Ｄ社製）に縫い付け、全量が１ｋｇとなるように他のＴシャツと合わせて、これを被洗物とした。
全自動洗濯機「白い約束」（形式ＮＷ−７ＰＡＭ２（Ｇ）、日立製作所（株）製）に、２５℃、硬度３°ＤＨ、３０リットルの水を入れ、各例の液体洗浄剤組成物を所定量（表２に示す洗剤量）溶かした後、前述の被洗物を投入し、標準コースをスタートさせて６分間洗浄した。
脱水１分と濯ぎ３分（水道水、２５℃）を２回行い、最後の脱水１分を行った後に、被洗物から洗浄後の湿式人工汚染布を取り出して乾燥させ、以下の方法で洗浄力を評価した。
【００３８】
（洗浄力の評価方法）
前記洗濯操作１工程を終えた湿式人工汚染布の反射率を、色差計（商品名：ＳＥ２００型、日本電色（株）製）により測定し、洗浄率（％）を以下の式で算出した。
洗浄率（％）＝（洗浄前の汚染布のＫ／Ｓ−洗浄後の洗浄布のＫ／Ｓ）／（洗浄前の汚染布のＫ／Ｓ−未汚染布のＫ／Ｓ）×１００。
ここで、Ｋ／Ｓ＝（１−Ｒ／１００）２／（２Ｒ／１００）である。ただし、Ｒは反射率（％）を示す。
評価基準は、上述の式により算出される洗浄率（％）が６５％以上あれば、洗浄力が良好であると判定した。なお、洗浄率（％）は湿式人工汚染布１０枚の平均値を用いた。
【００３９】
表２中の（※１）、（※２）は次の意味を示す。
（※１）は、洗濯時における、水３０リットルあたりの各例の液体洗浄剤組成物の溶解量（ｇ）を示す。
（※２）は、各例の液体洗浄剤組成物を水３０リットルに溶かした状態での洗濯液中における界面活性剤濃度「ｐｐｍ」を示す。
【００４０】
上記の洗浄力の評価において、評価対照として、化合物Ｌ（ポリオキシエチレン（９）ラウリルエーテル：ドデシルアルコールに平均９モルの酸化エチレンを付加させたアルコールエトキシレート）４０質量％を含有する液体洗浄剤組成物（比較例７）を用い、当該比較例７が有する洗浄力を、市販されている液体洗浄剤組成物（市販品）の洗浄力と同レベルとみなして上述の洗浄力評価を行った。
なお、比較例７の洗濯液中の界面活性剤（化合物Ｌ）濃度２００ｐｐｍは、従来の液体洗浄剤組成物を使用した場合における通常の界面活性剤濃度である。これに対して、実施例１〜１５、比較例１〜６の界面活性剤濃度は、その１／２の界面活性剤濃度である。
【００４１】
【表２】
2007291270.tif 000004
【００４２】
表２の結果から明らかなように、本発明に係る実施例１〜１５は、本発明の範囲外となる比較例１〜７と比較して、少量（１００ｐｐｍレベル）の界面活性剤量（低濃度）でも高い洗浄力を有することが確認できた。
【００４３】
また、実施例６〜８のポリオキシエチレン（２０）ヘキサデシルアミン（化合物Ｃ）と、それをアミンオキシド化したポリオキシエチレン（２０）ヘキサデシルアミンオキシド（化合物Ｄ）との混合系においては、それぞれの組成比（混合割合）で洗浄力が８０％以上を示し、非常に高い洗浄力を発揮していることが確認された。
さらに、本発明に係る実施例１〜１５は、比較例７の界面活性剤濃度（２００ｐｐｍ）の１/２（１００ｐｐｍ）の界面活性剤濃度で、比較例７よりも高い洗浄力を発揮することが確認された。
【００４４】
≪液性の評価≫
化合物Ｃと化合物Ｄと水とを混合して、化合物Ｃと化合物Ｄとの合計濃度５０質量％、混合割合が質量比で、化合物Ｃ：化合物Ｄ＝１：１の水溶液（２５℃）を調製した。
次いで、当該水溶液の液外観を目視観察し、下記の評価基準に基づいて液性を評価した。
評価基準は、当該水溶液の流動性を指標として、「液状である」、「流動性があるがゲル状である」、「固体状になってしまった」、のいずれであるかを確認し、「液状である」ことが良いとした。
【００４５】
液性の評価の結果、当該水溶液は「液状」であり、５０質量％の高濃度であっても良好な液性であることが確認された。また、洗浄剤としての性能を保持していることも確認された。